(57)【要約】      （修正有）【課題】楔緊結式足場用支柱の支柱緊結部における作業着等の引っ掛かり等の不具合を解消できる保護カバーを提供する。【解決手段】上下においてそれぞれ開放された開放端を有し、腕木材、ブレース等の端部に設けられた楔部材を挿入、嵌合させて相互に連結する少なくとも２つの支柱緊結部２を備えた楔緊結式足場用支柱の支柱緊結部２を覆う保護カバー４において、支柱緊結部２の外側壁部に接触可能な内壁を有し、端部同士を着脱自在に連係させて支柱緊結部２を支柱本体１とともに包囲する帯状体４ａを備え、帯状体４ａに、一端が帯状体４ａの一方の幅方向縁部に連結保持され、他端が支柱緊結部２の上側に位置する開放端から入り込み下側に位置する開放端を通り越すかもしくは下側に位置する開放端から入り込み上側に位置する開放端を通り越して帯状体４ａの他方の幅方向縁部に着脱自在に連係可能な少なくとも１つの固定バンド５ａ〜５ｄを設ける。【選択図】図３
2018178525.tif 000002
【特許請求の範囲】
【請求項１】
上下においてそれぞれ開放された開放端を有し、腕木材、ブレースの如き他部材の端部に設けられた楔部材を上側に位置する開放端から下側に位置する開放端に向けて挿入、嵌合させて支柱本体と該他部材とを相互に連結する少なくとも２つの支柱緊結部を備えた楔緊結式足場用支柱につき、該楔緊結式足場用支柱の支柱緊結部を覆う保護カバーであって、
該支柱緊結部の外側壁部に接触可能な内壁を有し、端部同士を着脱自在に連係させて該支柱緊結部を該支柱本体とともに包囲する帯状体を備え、
該帯状体は、一端が該帯状体の一方の幅方向縁部に連結保持され、他端が前記支柱緊結部の上側に位置する開放端から入り込み該下側に位置する開放端を通り越すかもしくは該下側に位置する開放端から入り込み該上側に位置する開放端を通り越して該帯状体の他方の幅方向縁部に着脱自在に連係可能な少なくとも１つの固定バンドを有する、ことを特徴とする楔緊結式足場用支柱の支柱緊結部における保護カバー。
【請求項２】
前記固定バンドは、前記上側に位置する開放端および前記下側に位置する開放端の少なくとも一方の縁部および前記支柱緊結部の内壁面の一部または全部を覆い隠す幅広部分を有する、ことを特徴とする請求項１に記載した楔緊結式足場用支柱の支柱緊結部における保護カバー。
【請求項３】
前記帯状体および前記固定バンドは、形状変形が容易な可撓性部材からなる、ことを特徴とする請求項１または２に記載した楔緊結式足場用支柱の支柱緊結部における保護カバー。
【請求項４】
前記帯状体は、伸縮性部材からなる、ことを特徴とする請求項１〜３のいずれか１項に記載した楔緊結式足場用支柱の支柱緊結部における保護カバー。
【発明の詳細な説明】
【技術分野】
【０００１】
本発明は、建築現場や土木工事現場で構築される工事用足場の構成部材である支柱、とくに、楔緊結式足場用支柱の、支柱緊結部を覆うのに好適な保護カバーに関するものである。
【背景技術】
【０００２】
建築現場や土木工事現場において構築される工事用足場は、複数本の支柱と、これらの支柱を相互につなぐ複数本の腕木材と、腕木材の相互間に差し渡され、作業床や通路を形成する複数枚の足場板、さらには、手摺付き筋交い（先行手摺付きブレース）の如き部材を適宜組み合わせたもので構成されおり、このうち、支柱と腕木材あるいは支柱とブレースとは、腕木材、ブレースの先端に設けられた楔部材を、支柱本体の外周壁に設けられた緊結部（ソケット等）に挿入、嵌合させることによって連結している。
【０００３】
この点に関する先行技術としては、支柱の所定高さ外周に受け金具を設け、２つの支柱間に渡される腕木材の端部に該受け金具に係止される係止金具を設けた、例えば、特許文献１に開示された緊結式足場における緊結装置が知られている。そして、かかる装置によれば、くさび案内部の後側に、受け金具の後部上縁に受け止められて腕木材の水平度を保障する下向き段部が形成されており、かつ、くさび作用により腕木材がぐらつくことがないので、該腕木材はしっかりと水平に保たれ、しかも、くさびに、ばね力に優る何らかの力が下から上へ加わったとしても、係止金具側の抜け止めピンが受け金具のピン受入れ孔縁に引っ掛かることから、くさびが上に抜けるおそれがない利点を有しているとされていた。
【先行技術文献】
【特許文献】
【０００４】
【特許文献１】特開２００８−２８０７４１号公報
【発明の概要】
【発明が解決しようとする課題】
【０００５】
ところで、この種の足場に使用される支柱は、受け金具としての緊結部が支柱の外壁面から大きく張り出していることから、足場の組み付け作業中に該緊結部に作業着のポケットや袖口等が不用意に引っ掛かかってしまう等の不具合を起すことがあり円滑な作業が行い難いことが指摘されるようになってきており、その改善が求められている。
【０００６】
本発明の課題は、支柱緊結部での不用意な引っ掛かり等の不具合を回避することができ、しかも、取り付け、取り外しが容易な保護カバーを提案するところにある。
【課題を解決するための手段】
【０００７】
本発明は、上下においてそれぞれ開放された開放端を有し、腕木材、ブレースの如き他部材の端部に設けられた楔部材を上側に位置する開放端から下側に位置する開放端に向けて挿入、嵌合させて支柱本体と該他部材とを相互に連結する少なくとも２つの支柱緊結部を備えた楔緊結式足場用支柱につき、該楔緊結式足場用支柱の支柱緊結部を覆う保護カバーであって、
該支柱緊結部の外側壁部に接触可能な内壁を有し、端部同士を着脱自在に連係させて該支柱緊結部を該支柱本体とともに包囲する帯状体を備え、
該帯状体は、一端が該帯状体の一方の幅方向縁部に連結保持され、他端が前記支柱緊結部の上側に位置する開放端から入り込み該下側に位置する開放端を通り越すかもしくは該下側に位置する開放端から入り込み該上側に位置する開放端を通り越して該帯状体の他方の幅方向縁部に着脱自在に連係可能な少なくとも１つの固定バンドを有する、ことを特徴とする楔緊結式足場用支柱の支柱緊結部における保護カバーである。
【０００８】
前記固定バンドは、前記上側に位置する開放端および前記下側に位置する開放端の少なくとも一方の縁部および前記支柱緊結部の内壁面の一部または全部を覆い隠す幅広部分を有するものとするのが好ましい。また、前記帯状体および前記固定バンドは、形状変形が容易な可撓性部材で構成するのが好ましく、前記帯状体は、伸縮性部材で構成するのが好ましい。
【発明の効果】
【０００９】
本発明の保護カバーによれば、支柱緊結部の外周を全体にわたって覆うことができるため、作業着等が不用意に支柱緊結部に引っ掛かる等の不具合がなくなり円滑な作業が行える。
【００１０】
また、本発明の保護カバーによれば、帯状体の端部同士を着脱自在に連係させるとともに、固定バンドの他端を帯状体に着脱自在に連係させるようにしたため、保護カバーの支持緊結部における取り付け、取り外しを容易に行うことができる。
【００１１】
また、本発明の保護カバーによれば、帯状体および固定バンドを、形状変形の容易な可撓性部材、伸縮部材からなるものにて構成することにより、支柱緊結部が複雑な形状を有していても保護カバーの確実な取り付けが可能となる。
【００１２】
また、固定バンドに幅広部分を設けることにより、開放端の縁部および支柱緊結部の内壁面を覆うことが可能となり、該嵌合空間内での不具合、例えば、嵌合空間内に誤って所期しない部材等が入り込むことがあってもその部材等の入り込みによる損傷等を防止することができる。
【図面の簡単な説明】
【００１３】
【図１】本発明にしたがう保護カバーの実施の形態を展開状態で模式的に示した図であり、（ａ）はその正面図、（ｂ）は、その背面図である。
【図２】支柱締結部を備えた楔緊結式足場用支柱と、支持緊結部に挿入、嵌合可能な楔部材を備えた腕木材の先端部分を模式的に示した外観斜視図である。
【図３】、図１に示した保護カバーを、図２に示した支柱緊結部に装着した状態を示した図である。
【図４】支柱緊結部および楔部材を断面で表示した図である。
【図５】本発明にしたがう保護カバーの取り付け状況を示した図である。
【図６】本発明にしたがう保護カバーの他の実施の形態を展開状態で模式的に示した図であり、（ａ）はその正面図、（ｂ）は、その背面図である。
【図７】図６に示した保護カバーを、図２に示した支柱緊結部に装着した状態を示した図である。
【図８】本発明にしたがう保護カバーのさらに他の実施の形態を要部について示した図である。
【図９】図８に示した保護カバーの使用状態を示した図である。
【発明を実施するための形態】
【００１４】
以下、図面を参照して本発明をより具体的に説明する。
図１は、本発明にしたがう保護カバーの実施の形態を展開状態で模式的に示した図であり、（ａ）はその正面図、（ｂ）はその背面図である。また、図２は、楔緊結式足場用支柱の支柱緊結部と、この支持緊結部に挿入、嵌合可能な楔部材を備えた腕木材の先端部分を模式的に示した外観斜視図であり、図３は、図１に示した保護カバーを、図２に示した支柱緊結部に装着した状態を示した図である。
【００１５】
図における符号１は、楔緊結式足場用支柱の支柱本体（一部分を表示）、２は、支柱本体１の外側面に設けられた支柱緊結部である。支柱緊結部２は、一端が支柱本体１の外周壁に固定保持される一対の側壁２ａ、２ｂと、この側壁２ａ、２ｂのそれぞれの他端に一体連結する外側壁部２ｃから構成されており、その上下には、それぞれ開放端２ｄ、２ｅが形成されている。支柱緊結部２は、ここでは、支柱本体１の周りに４つ設けたものを例として示してある。
【００１６】
かかる支柱緊結部２は、図４にその断面を示すように、内部に嵌合空間Ｍが区画形成されており、腕木材等の他部材３の楔部材３ａを、上側に位置する開放端２ｄから下側に位置する開放端２ｅに向けて嵌合空間Ｍへ挿入、嵌合させることによって支柱本体１と他部材３とを相互に連結させることができるようになっている。
【００１７】
また、４は、支柱緊結部２を覆う本発明にしたがう保護カバーである。この保護カバー４は、支柱緊結部２の高さｈ（図２参照）と同等もしくはそれよりもやや大きな幅寸法Ｗ（図１参照）を有する矩形形状をなす長尺の帯状体４ａと、この帯状体４ａの長手方向の一端に設けられ、該帯状体４ａの先端部分を巻き掛けてその向きを反転させるバックル４ｂを備えたもので構成されている。
【００１８】
帯状体４ａは、支柱緊結部２の外側壁部２ｃの外表面に接触可能な内壁４ａ１を有し、その端部同士（長手方向の端部同士）を面ファスナー（フックとフープからなる例えばマジックテープ（登録商標）等）４ｃを介して着脱自在に連係させることできるようになっている。帯状体４ａの端部同士が連係されると、支柱緊結部２は、図３に示すように支柱本体１とともに帯状体４ａによって包囲されるため、作業着等が支柱緊結部２に不用意に引っ掛かる等の不具合がなくなる。
【００１９】
帯状体４ａとしては、厚さ０．２〜６．０ｍｍ程度のゴム、合成樹脂製のシートあるいはクッション材の充填された不織布等からなる、形状変形の容易な可撓性部材を用いることができる。なお、この例では、帯状体４ａの端部同士を、バックル４ｂを用いて連係させる場合について示したが、端部同士のつなぎ合わせにより帯状体４ａを環状にすることができるものであれば、バックル４ｂを利用したものに限定されることはない。とくに、ゴムの如き伸縮性を有する部材で帯状体４ａを構成すると、作業者や搬入物等が支柱緊結部２に衝突したとしてもその弾性力により衝突時の衝撃を緩和できるとともに、形状の異なる支柱緊結部を覆い隠す場合にも容易に対応し得る。
【００２０】
また、５は、一端が帯状体４ａの一方の幅方向縁部に連結保持された固定バンドである。この固定バンド５は、この例では、支柱緊結部２のそれぞれに対応するように、５ａ〜５ｄの４つ設けたものとして示してあるが、該固定バンド５は、１つでもよい。固定バンド５を１つとする場合には、足場の通路側に突出した支柱緊結部２において固定バンド５を巻き回すことがきるように帯状体４ａに設けておけばよく、これにより保護カバー４の取り付け作業が容易になる。
【００２１】
固定バンド５ａ〜５ｄは、他端が支柱緊結部２の上側に位置する開放端２ｄから入り込み下側に位置する開放端２ｅを通り抜けて帯状体４ａの他方の幅方向縁部に例えば、面ファスナー５ａ１、５ｂ１、５ｃ１、５ｄ１を介して着脱自在に連係させるものである。固定バンド５ａ〜５ｄによって保護カバー４の、支柱緊結部２からの脱落が防止される。固定バンド５は、ゴムや合成樹脂製のテープ等、形状変形の容易な可撓性部材が適用される。固定バンド５についても、伸縮性を有するものを用いることができ、これにより、帯状体４ａを支柱緊結部２にしっかりと固定することが可能となる。
【００２２】
本発明にしたがう保護カバー４は、支柱本体１の外側面に設けられた支柱緊結部２を全周にわたって包囲することが可能で、これにより、作業着等が支柱緊結部２に不用意に引っ掛かる等の不具合を効果的に回避することができる。
【００２３】
とくに、帯状体４ａの端部同士の連係と、固定バンド５の帯状体４ａへの連係をそれぞれ面ファスナー４ｃ、５ａ１、５ｂ１、５ｃ１、５ｄ１を介して行うことにより、保護カバー４の取り付け、取り外しを簡単に行い得る。なお、本発明では、面ファスナー４ｃ、５ａ１、５ｂ１、５ｃ１、５ｄ１に替えて紐、釦あるいはホック等を使用することもできる。
【００２４】
固定バンド５の他端については、開放端２ｄから入り込み下側に位置する開放端２ｅを通り抜けて帯状体４ａの他方の幅方向縁部に連係させる場合の他、開放端２ｅから入り込み上側に位置する開放端２ｄを通り抜けて帯状体４ａの他方の幅方向縁部に連係させるようにしてもよく、この点については限定されない。
【００２５】
本発明にしたがう保護カバー４は、例えば、足場の一層目を組み立てるに際して、他部材３の楔部材３ａを打ち込まない支柱緊結部２がある場合に、その支柱緊結部２に対して取り付けるものであって、この取り付け作業は、足場の第２層、第３層…を組み立てる場合にも同様とする。保護カバー４が取り付けられた支柱緊結部２に他部材３の楔部材３ａを打ち込む必要がある場合には、保護カバー４を取り外してから行うことになるが本発明にしたがう保護カバー４は、図５に示すように、支柱本体１の支柱緊結部２に腕木材等の他部材３の楔部材３ａを嵌合させた後、すなわち、足場が構築された後であっても、支柱緊結部２への、保護カバー４の取り付けが可能であり、これにより、足場で作業する際に支柱緊結部２での、作業着等の不用意な引っ掛かり等の不具合を防ぐことができる利点を有している。
【００２６】
図６（ａ）（ｂ）は、本発明にしたがう保護カバー４の他の実施の形態を展開状態で模式的に示した図であり、図７は、図６に示した保護カバー４を支柱緊結部２に取り付けた状態を示した図である。
【００２７】
この保護カバー４は、固定バンド５の一端からその長手方向の中央部分に向けて伸びる幅広部分６を設けたものである。この幅広部分６により、上側に位置する開放端２ｄを構成する外側壁部２ｃの縁部２ｃ１（図４参照）および支柱緊結部２の内壁面、とくに外側壁部２ｃの内面２ｃ２（図４参照）を幅方向の全域にわたって覆うことが可能となり、支柱緊結部２の嵌合空間Ｍ内への所期しない部材等の入り込み等によって生起される不具合を回避することができる。
【００２８】
幅広部分６は、固定バンド５の下方の一部分に設けた場合について示したが、固定バンド５の全体を幅広部分６としてもよい。
【００２９】
図８は、本発明にしたがう保護カバー４のさらに他の実施の形態をその要部について示した図である。
【００３０】
この例は、幅広部分６を矩形状にするとともにその、固定バンド５の幅方向の縁部に対応する部位（固定バンド５と幅広部分６との境界）に、該固定バンド５の縁部に沿い帯状体４ａに向けて伸延するスリット（切れ込み）７を一対設けたものである。固定バンド５と幅広部分６との境界にスリット７を設けることにより、図９に示すように、幅広部分６により、支柱緊結部２の開放端２ｄにおいて側壁２ａ、２ｂおよび外側壁部２ｃの端面を覆い隠すことができ、保護カバー４によるより一層効果的な保護が可能となる。
【産業上の利用可能性】
【００３１】
本発明によれば、楔緊結式足場用支柱の支柱緊結部において起こりがちであった作業着等の不用意な引っ掛かり等の不具合を回避し得る保護カバーが提供できる。
【符号の説明】
【００３２】
１      支柱本体
２      支柱緊結部
２ａ、２ｂ  側壁
２ｃ    外側壁部
２ｄ、２ｅ  開放端
３      他部材
３ａ    楔部材
４      保護カバー
４ａ    帯状体
４ｂ    バックル
４ｃ    面ファスナー
５      固定バンド
６      幅広部分
７      スリット
Ｍ      嵌合空間
【図１】
2018178525.tif 000003
【図２】
2018178525.tif 000004
【図３】
2018178525.tif 000005
【図４】
2018178525.tif 000006
【図５】
2018178525.tif 000007
【図６】
2018178525.tif 000008
【図７】
2018178525.tif 000009
【図８】
2018178525.tif 000010
【図９】
2018178525.tif 000011